(57)【要約】【課題】デジタルオーディオアンプを提供する。【解決手段】デジタルオーディオアンプは、デジタルオーディオコネクタヘッドを有して、主回路のデジタルオーディオコネクタを連接すると共に、連続したデジタルオーディオ信号を受信し、デジタルオーディオ信号を処理してハイパワーのアナログオーディオ信号を生成するするデジタル信号アンプモジュールと、少なくとも一つのアナログオーディオ連接座を有し、デジタル信号アンプモジュールを連接してハイパワーのアナログオーディオ信号をアナログオーディオ連接座に伝送するアナログ信号出力インターフェースと、からなる。【選択図】図１
0003135379.tif 000002
【実用新案登録請求の範囲】
【請求項１】
デジタルオーディオアンプであって、
デジタルオーディオコネクタヘッドを有して、主回路のデジタルオーディオコネクタを連接すると共に、連続したデジタルオーディオ信号を受信し、前記デジタルオーディオ信号を処理してハイパワーのアナログオーディオ信号を生成するデジタル信号アンプモジュールと、
少なくとも一つのアナログオーディオ連接座を有し、前記デジタル信号アンプモジュールを連接してハイパワーのアナログオーディオ信号を前記アナログオーディオ連接座に伝送するアナログ信号出力インターフェースと、
からなり、
外部のスピーカアセンブリは、少なくとも一組のスピーカ線により前記アナログオーディオ連接座を連接して、ハイパワーのアナログオーディオ信号ASを受信すると共に、直接、ハイパワーのアナログオーディオ信号ASを連続音波に転換することを特徴とするデジタルオーディオアンプ。
【請求項２】
前記デジタルオーディオコネクタは、TOSLINK SPDIF  オーディオインターフェースコネクタであることを特徴とする請求項１に記載のデジタルオーディオアンプ。
【請求項３】
前記デジタルオーディオコネクタは、RCA SPDIF  インターフェースコネクタであることを特徴とする請求項１に記載のデジタルオーディオアンプ。
【請求項４】
前記デジタルオーディオコネクタは、I2Sデジタルオーディオインターフェースコネクタであることを特徴とする請求項１に記載のデジタルオーディオアンプ。
【請求項５】
前記アナログオーディオ連接座は、電極柱、RCAソケット、及び、スプリングジャックの組み合わせであることを特徴とする請求項１に記載のデジタルオーディオアンプ。
【請求項６】
前記デジタルオーディオコネクタはUSBインターフェースコネクタであることを特徴とする請求項１に記載のデジタルオーディオアンプ。
【請求項７】
前記デジタル信号アンプモジュールは、電圧信号を受信して、電源供給とすることを特徴とする請求項６に記載のデジタルオーディオアンプ。
【請求項８】
前記電圧信号は、前記USBインターフェースコネクタから入力されることを特徴とする請求項７に記載のデジタルオーディオアンプ。
【請求項９】
前記デジタル信号アンプモジュールと前記アナログ信号出力インターフェースは一回路板上に整合されることを特徴とする請求項１に記載のデジタルオーディオアンプ。
【考案の詳細な説明】
【技術分野】
【０００１】
本考案は、オーディオアンプに関するものであって、特に、アンプにハイパワーのアナログオーディオ信号を供給するデジタルオーディオアンプに関するものである。
【背景技術】
【０００２】
パソコンの功能の進歩とインターネットの発達により、オンラインゲームやオンラインのマルチメディアビデオオーディオ効果等はどれもがパソコンが強調する功能である。しかし、一般のコンピュータに内蔵されるスピーカは単純なもので、音質が悪く、オンラインゲームやマルチメディアの娯楽効果を台無しにする。
【０００３】
コンピュータ上の全てのサウンドファイルはデジタルで、例えば、MIDI、WAVE、MP3等、或いは、音樂CD、VCD、DVD等のディスクは皆デジタル形式であるが、公知のスピーカはアナログであり、デジタル信号をアナログ信号に転換する時、信号は減衰し、且つ、コンピュータ殻体筐体内の回路がノイズや電圧の干渉を受け、音質が悪くなり、転換過程で騒音とノイズを生じ、音声がはっきりせず、「ささ」というような音が聞こえる可能性がある。
【０００４】
近年、コンピュータシステムはUSBインターフェースをサポートするように発展し、特に、小型コンピュータシステムは適応性を増加しているという長所がある。よって、コンピュータシステムは多種のUSBの周辺設備と適合するが、コネクタを増加させる必要がない。
【０００５】
公知のUSBデジタルスピーカは、コンピュータUSBジョイントを接続し、干渉がひどい筐体内で転換する必要がなく、直接、高品質のデジタル音響を楽しむことが出来、当然、コンピュータが再生する音声は更にはっきりと雑音がなく、抜群の透明度を有し、アナログスピーカとは異なる。しかし、パワーの関係で、別に一本の電源線を増加しないと、いい音が提供できない。よって、スピーカは使用上不便で、一般の優良なスピーカはアンプと分離されて、スピーカの作物理性音波動作時に干渉を受けるのを防止する。これにより、上述のスピーカは最適な効果を発揮できない。
【考案の開示】
【考案が解決しようとする課題】
【０００６】
上述の問題を解決するため、本考案は、デジタルオーディオアンプを提供し、デジタル信号アンプモジュールによりデジタルオーディオ信号を受信すると共に、信号を増幅処理して、スピーカが直接出力されるハイパワーのアナログオーディオ信号を受信して、スピーカを推動し、立体音響を再生することを目的とする。
【０００７】
本考案は、デジタルオーディオアンプを提供し、DVDプレーヤー、ビデオテープレコーダー、MP３プレーヤー、CDプレーヤー、及び、プロセッサを有する計算機装置内に置入して、マザーボードのUSBインターフェースコネクタ、TOSLINK SPDIFオーディオインターフェースコネクタ、RCAデジタルオーディオインターフェースコネクタ、或いは、I2Sデジタルオーディオインターフェースコネクタと連接し、直接、デジタルオーディオ信号を増幅することをもう一つの目的とする。
【課題を解決するための手段】
【０００８】
上述の目的を達成するため、本考案の実施例によるデジタルオーディオアンプは、デジタルオーディオコネクタヘッドを有して、主回路のデジタルオーディオコネクタを連接すると共に、連続したデジタルオーディオ信号を受信し、デジタルオーディオ信号を処理してハイパワーのアナログオーディオ信号を生成するするデジタル信号アンプモジュールと、少なくとも一つのアナログオーディオ連接座を有し、デジタル信号アンプモジュールを連接してハイパワーのアナログオーディオ信号をアナログオーディオ連接座に伝送するアナログ信号出力インターフェースと、からなる。
【考案の効果】
【０００９】
本考案は、デジタルオーディオアンプを提供し、デジタルオーディオ信号を受信すると共に、信号の増幅処理を施し、最後に、ハイパワーのアナログ信号をスピーカに出力して音波を振動させ、これにより、スピーカは直接、本考案の出力信号を受信して、スピーカを推動し、立体音響を再生する。
【考案を実施するための最良の形態】
【００１０】
図１は、本考案の実施例によるデジタルオーディオアンプの連接構造を示す図である。本考案の実施例中、デジタルオーディオアンプ１０は、デジタルオーディオコネクタヘッド１３を有して、主回路２０のデジタルオーディオコネクタ２１を連接すると共に、連続したデジタルオーディオ信号DSを受信し、デジタルオーディオ信号DSを処理してハイパワーのアナログオーディオ信号ASを生成するデジタル信号アンプモジュール１１と、数個のアナログオーディオ連接座を有し、デジタル信号アンプモジュール１１を連接してハイパワーのアナログオーディオ信号ASをアナログオーディオ連接座に伝送するアナログ信号出力インターフェース１２と、からなり、アナログオーディオ連接座は、電極柱（Binding post）１２１、RCAソケット１２２、及び、スプリングジャック（Spring jack）１２３等を有し、スピーカが直接連接して、音声出力を推動する。
【００１１】
上述のように、デジタル信号アンプモジュール１１とアナログ信号出力インターフェース１２は一回路板上に整合されると共に、デジタルオーディオコネクタヘッド１３により主回路２０のデジタルオーディオコネクタを連接し、これにより、両者を同時に電子装置１に置入し、電子装置１は、DVDプレーヤー、ビデオテープレコーダー、MP３プレーヤー、CDプレーヤー、及び、プロセッサを有する計算機装置である。
【００１２】
この他、デジタルオーディオコネクタ２１は、USBインターフェースコネクタ、TOSLINK SPDIF  オーディオインターフェースコネクタ、RCA SPDIF  インターフェースコネクタ、或いは、I2Sデジタルオーディオインターフェースコネクタである。
【００１３】
上述に基づくと、外部のスピーカアセンブリ２は、少なくとも一組のスピーカ線によりアナログオーディオ連接座を連接して、ハイパワーのアナログオーディオ信号ASを受信すると共に、直接、ハイパワーのアナログオーディオ信号ASを連続音波に転換する。
【００１４】
本考案の特徴は、デジタル信号アンプモジュール１１により直接電子装置１の主回路２０が出力するデジタルオーディオ信号DSを受信すると共に、ハイパワーのアナログオーディオ信号ASに増幅転換してスピーカアセンブリ２に出力し、直接、立体音響を再生する。
【００１５】
また、実施例中、デジタルオーディオコネクタ２１がUSBインターフェースコネクタである時、デジタル信号アンプモジュール１１の出力パワーが２．５W以下の時、直接、USBの電圧信号を受信して電源供給とし、本考案は電源線を接続する必要がなく、且つ、本考案のデジタル信号アンプモジュール１１とアナログ信号出力インターフェース１２は一回路板上に整合されて、デジタルオーディオアンプの体積を小さくし、どんなに小さな電子装置にも置入できる。
【００１６】
実施例中、デジタルオーディオコネクタ２１がUSBインターフェースコネクタである時、デジタル信号アンプモジュール１１の出力パワーが２．５W以上である時、デジタルオーディオアンプ１０は電源線を接続して操作電源とする。
【００１７】
更に、デジタル信号アンプモジュール１１はその他のコネクタによりデジタルオーディオコネクタヘッド１３と連接する時、例えば、TOSLINK SPDIF  オーディオインターフェースコネクタ、RCA SPDIF  インターフェースコネクタ、或いは、I2Sデジタルオーディオインターフェースコネクタ等、デジタルオーディオアンプ１０は電源線を接続して操作電圧とする。
【００１８】
総合すると、本考案はデジタルオーディオ信号のアンプで、純粋なデジタルオーディオ信号を受信すると共に、ハイパワーのアナログオーディオ信号に処理増幅し、直接スピーカを推動して、スピーカが直接、磁場効果を受けて振動し、最後に、理想的な音波出力を得て、且つ、USBインターフェースコネクタにより、デジタルオーディオ信号を受信すると同時に、電圧信号を受信して信号を増幅する。
【００１９】
本実施例のデジタルオーディオアンプは下記形態で提供されてもよい。デジタルオーディオアンプであって、ＵＳＢインターフェースコネクタに連接され、ＵＳＢインターフェースコネクタから入力されたデジタルオーディオ信号をアナログオーディオ信号に変換して増幅するデジタル信号アンプモジュールと、アナログオーディオ信号により直接に駆動されるスピーカアセンブリに連接され、デジタル信号アンプモジュールから出力されたアナログオーディオ信号を、スピーカアセンブリに伝送するアナログオーディオ信号出力インターフェースとを備える。さらに、デジタル信号アンプモジュールは、ＵＳＢインターフェースにより電力が供給され、当該電力により、アナログオーディオ信号を増幅して出力してもよい。
【００２０】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００２１】
【図１】本考案の実施例によるデジタルオーディオアンプの連接構造を示す図である。
【符号の説明】
【００２２】
１  電子装置
２  スピーカアセンブリ
１０  デジタルオーディオアンプ
１１  デジタル信号アンプモジュール
１２  アナログ信号出力インターフェース
１２１  電極柱（Binding post）
１２２  RCAソケット
１２３  スプリングジャック  
１３  デジタルオーディオコネクタヘッド
２０  主回路
２１  デジタルオーディオコネクタ
DS  デジタルオーディオ信号
AD  ハイパワーアナログオーディオ信号
【図１】
0003135379.tif 000003